(57)【要約】【課題】電話回線を使ったコンテンツ配信の視聴に対する課金を予め支払った範囲内の金額にでき、コンテンツ配信における匿名性の確保ができ、インターネットと連携可能なプリペイド型決済システムおよび方法を提供する。【解決手段】通信端末（プリペイド購入手段）１１は、プリペイドのＷｅｂ画面上からの購入、コンテンツのＷｅｂ上のメニューからの選択および視聴に用いる。ＷＷＷサーバ１３はプリペイド購入やコンテンツ選択のためにＷｅｂブラウザからインターネット網１２を介してアクセスされる。通信端末１１からのリクエストを情報料徴収サーバ（連携手段）１４に送信し、その要求に基づきプリペイドを発行して金額の管理を行う。コンテンツメニュー（コンテンツ選択手段）を表示し、選択されたコンテンツ情報をコンテンツ配信サーバ１６から通信端末１１に送出する。視聴終了後に情報料分を決済ＤＢ（決済手段）１７から、プリペイド残高を減額する。【選択図】図１
2009218633.tif 000002
【特許請求の範囲】
【請求項１】
電話網を介して通信端末に提供されるコンテンツを視聴したユーザの課金を決済するためのプリペイド型決済システムにおいて、
予め前記課金の支払いに充てるプリペイドを購入するためのプリペイド購入手段と、
前記プリペイドから支払われる前記課金への決済と残高を共に管理するための決済手段と、
前記決済手段による前記管理と前記通信端末による前記コンテンツの視聴に基づく前記課金とを連携させるための連携手段と、
を備えることを特徴とするプリペイド型決済システム。
【請求項２】
インターネット上に設けられたコンテンツサイトから前記コンテンツを選択するためのコンテンツ選択手段を備え、
前記コンテンツ選択手段にて選択した前記コンテンツを前記電話網を介して視聴可能なことを特徴とする請求項１に記載のプリペイド型決済システム。
【請求項３】
前記コンテンツの視聴に用いる通信端末を指定するために前記決済手段が設定したアクセス番号と、前記通信端末に個別に付与された電話番号と、の組み合わせに基づいて前記通信端末における前記コンテンツの視聴の許可を認証するための認証手段
を備えることを特徴とする請求項１または２に記載のプリペイド型決済システム。
【請求項４】
電話網を介して通信端末に提供されるコンテンツを視聴したユーザの課金を決済するためのプリペイド型決済方法であって、
プリペイド購入手段において予め前記課金の支払いに充てるプリペイドを購入するステップと、
決済手段において前記プリペイドから支払われる前記課金への決済と残高を共に管理するステップと、
連携手段において前記決済手段による前記管理と前記通信端末による前記コンテンツの視聴に基づく前記課金とを連携させるステップと、
を有することを特徴とするプリペイド型決済方法。
【請求項５】
コンテンツ選択手段においてインターネット上に設けられたコンテンツサイトから前記コンテンツを選択するステップを有し、
前記コンテンツ選択手段にて選択した前記コンテンツを前記電話網を介して視聴可能なことを特徴とする請求項４に記載のプリペイド型決済方法。
【請求項６】
認証手段において前記コンテンツの視聴に用いる通信端末を指定するために前記決済手段が設定したアクセス番号と、前記通信端末に個別に付与された電話番号と、の組み合わせに基づいて前記通信端末における前記コンテンツの視聴の許可を認証するステップ
を有することを特徴とする請求項４または５に記載のプリペイド型決済方法。
【発明の詳細な説明】
【技術分野】
【０００１】
本発明は、電話網で利用者が通信端末から映像を含む有料のコンテンツ情報にアクセスする際に適用可能なプリペイド型決済システムおよび方法に関する。
【背景技術】
【０００２】
従来において、ＰＳＴＮのダイヤルＱ２（登録商標）に代表される情報料課金サービスは、コンテンツ視聴後、通信回線に対して、電話通話料と同時に請求される仕組みで実現されており、ポストペイドで請求されている（非特許文献１参照）。
【非特許文献１】http://www.ntt-east.co.jp/q2/shikumi.html
【発明の開示】
【発明が解決しようとする課題】
【０００３】
しかしながら、情報料に対する課金をプリペイド方式で実現する決済手段が既存電話網に備わっていないため、利用者が想定した金額以上の情報料を支払うケースや、通信回線に対する請求であるため、コンテンツ視聴に対する匿名性がなかった。
【０００４】
また、インターネット全盛の現代において、Ｗｅｂブラウザ上からのコンテンツ選択ができなかった。
【０００５】
本発明は上述の課題に鑑みてなされたものであり、その目的は、電話回線を使ったコンテンツ配信の視聴に対する課金を予め支払った範囲内の金額にし、コンテンツ配信における匿名性の確保ができ、インターネットと連携可能なプリペイド型決済システムおよび方法を提供することにある。
【課題を解決するための手段】
【０００６】
課題を解決するために、請求項１に記載の本発明は、電話網を介して通信端末に提供されるコンテンツを視聴したユーザの課金を決済するためのプリペイド型決済システムにおいて、予め前記課金の支払いに充てるプリペイドを購入するためのプリペイド購入手段と、前記プリペイドから支払われる前記課金への決済と残高を共に管理するための決済手段と、前記決済手段による前記管理と前記通信端末による前記コンテンツの視聴に基づく前記課金とを連携させるための連携手段と、を備える。
【０００７】
また、請求項２に記載の本発明は、請求項１において、インターネット上に設けられたコンテンツサイトから前記コンテンツを選択するためのコンテンツ選択手段を備え、前記コンテンツ選択手段にて選択した前記コンテンツを前記電話網を介して視聴可能である。
【０００８】
また、請求項３に記載の本発明は、請求項１または２において、前記コンテンツの視聴に用いる通信端末を指定するために前記決済手段が設定したアクセス番号と、前記通信端末に個別に付与された電話番号と、の組み合わせに基づいて前記通信端末における前記コンテンツの視聴の許可を認証するための認証手段を備える。
【０００９】
また、請求項４に記載の本発明は、電話網を介して通信端末に提供されるコンテンツを視聴したユーザの課金を決済するためのプリペイド型決済方法であって、プリペイド購入手段において予め前記課金の支払いに充てるプリペイドを購入するステップと、決済手段において前記プリペイドから支払われる前記課金への決済と残高を共に管理するステップと、連携手段において前記決済手段による前記管理と前記通信端末による前記コンテンツの視聴に基づく前記課金とを連携させるステップと、を有する。
【００１０】
また、請求項５に記載の本発明は、請求項４において、コンテンツ選択手段においてインターネット上に設けられたコンテンツサイトから前記コンテンツを選択するステップを有し、前記コンテンツ選択手段にて選択した前記コンテンツを前記電話網を介して視聴可能である。
【００１１】
また、請求項６に記載の本発明は、請求項４または５において、認証手段において前記コンテンツの視聴に用いる通信端末を指定するために前記決済手段が設定したアクセス番号と、前記通信端末に個別に付与された電話番号と、の組み合わせに基づいて前記通信端末における前記コンテンツの視聴の許可を認証するステップを有する。
【発明の効果】
【００１２】
本発明によれば、電話回線を使ったコンテンツ配信の視聴に対する課金を予め支払った範囲内の金額にでき、コンテンツ配信における匿名性の確保ができ、インターネットと連携可能なプリペイド型決済システムおよび方法を提供することができる。
【発明を実施するための最良の形態】
【００１３】
図１には、本発明のプリペイド型決済システムの実施の形態を説明するための構成図を示している。
【００１４】
この図１に示す構成において、通信端末（プリペイド購入手段）１１は、プリペイド（電子マネーによる予納金）をＷｅｂ画面上から購入したり、コンテンツをＷｅｂ上のメニューから選択したり、コンテンツを視聴する際に用いる。通信端末１１はＶｏＩＰ網に接続された通信端末ではなく、携帯電話やＰＤＡ端末網でもよい。また、プリペイドの購入、コンテンツの選択、コンテンツの視聴を行う通信端末はそれぞれ別々でもよい。
【００１５】
ＷＷＷサーバ１３は、プリペイド購入、コンテンツ選択のために通信端末１１のＷｅｂブラウザがインターネット網１２を経由して、アクセスするためのサーバであり、通信端末１１からのリクエストを情報料徴収サーバ（連携手段）１４に送信する。
【００１６】
情報料徴収サーバ１４は、通信端末１１からの要求に基づき、プリペイドを発行し、金額の管理を行う。また、コンテンツメニュー（コンテンツ選択手段）を表示し、通信端末１１からの選択により、選択されたコンテンツ情報を通信端末１１に送出するために、通信端末１１とコンテンツ配信サーバ１６を接続する。コンテンツの視聴終了後は、情報料分を決済ＤＢ（決済手段）１７から、プリペイド残高を減額する。
【００１７】
ＳＩＰサーバ１５は、情報料徴収サーバ１４からの指示により、ＳＩＰサーバ１５が収容している通信端末１１と通信網１８を介して接続する。コンテンツ配信サーバ１６は、情報料徴収サーバ１４からの指示により、通信端末１１にコンテンツを送出する。情報料徴収サーバ１４の指示は、ＳＩＰサーバ１５を介して、コンテンツ配信サーバ１６に対して行ってもよい。決済ＤＢ１７は、プリペイドカード番号ごとの残高と過去に視聴したコンテンツの一覧を管理するＤＢである。
【００１８】
なお、通信網１８は、ＩＰ網であってもよいし、ＩＰ網から携帯網等を経由して、ＰＳＴＮ網であってもよい。
【００１９】
次に、情報料のプリペイド購入とプリペイド残高の設定方法について、図２、図３を用いて説明する。
【００２０】
図２において、プリペイドカードを購入するユーザ２１がコンビニ等２２でプリペイドカードの代金を支払い（Ｓ２−１）、プリペイドカードを受け取る（Ｓ２−２）。購入の際、パスワードを設定することも可能とする。
【００２１】
コンビニ等からカード情報送信装置２３にカード番号、購入金額、販売日時、パスワード等を入力し、情報料徴収サーバ１４に送信する。カード送信装置２３はカード番号、購入金額に加えて、販売店舗ＩＤを自動送信する。カード送信装置２３への入力は、コンビニ等のレジスタ機と連動していて、自動送信されてもよい。カード送信装置２３と情報料徴収サーバ１４の間の回線は、インターネットが想定されるが、専用線、電話回線等でもよい。（Ｓ２−３）
情報料徴収サーバ１４は情報を受け取り後、決済ＤＢ１７に対して、プリペイド購入情報を書き込む。（Ｓ２−４）
プリペイドの購入は、コンビニ等の店舗以外のインターネット上のオンラインモールショップでも購入可能とする。その場合は、クレジットカード、ＰａｙＰａｌ（登録商標）等で支払い、プリペイドカードの代わりに、プリペイドカード番号が電子メール、インスタントメッセージ等で送信される。また、カード番号と購入金額が決済ＤＢ１７に送信される。
【００２２】
プリペイド購入の都度にユーザ２１はインターネットを通じて、プリペイドの残高、過去に視聴したコンテンツの内容、コンテンツ料金を参照することが可能とする。その際、プリペイドカード番号を入力する。またパスワードを設定する場合は、パスワードを合わせて入力する。（Ｓ２−５）
図３において、ユーザ２１が購入したプリペイド残高を設定する決済ＤＢのスキーマについて説明する。
【００２３】
図２のカード送信装置２３から送信された、カード番号、購入金額、販売店舗ＩＤを残高情報テーブル３１に設定する。パスワードを設定する場合は、合わせて設定する。その際、残高には購入金額と同値を設定する。
【００２４】
コンテンツ視聴テーブル３２は、ユーザ２１がコンテンツを視聴した際に、設定されるレコードで、カード番号ごとに、視聴コンテンツＩＤ、コンテンツ視聴料、視聴開始／終了時刻が設定される。
【００２５】
次に、コンテンツ視聴とプリペイドでの決済を行う場合のシーケンスについて、図４〜図６を用いて説明する。
【００２６】
コンテンツ視聴を行う通信端末１１から、Ｗｅｂブラウザにより、情報料徴収サーバ１４にアクセスする。通信端末１１はＰＣ端末以外のインターネット上のＵＲＬにアクセスできる他の端末でもよい。（Ｓ０１）
情報料徴収サーバ１４には、コンテンツ配信可能なコンテンツの名称、概略、料金（単位時間当たりの料金、１回当たりの料金等）などが事前に設定されており、端末からの要求に基づき、サーバ内のデータベースを検索する。検索条件として、コンテンツのジャンルや料金などを指定してもよい。（Ｓ０２）
コンテンツの検索結果を通信端末１１に返却する。（Ｓ０３）
Ｗｅｂブラウザ上に表示された、コンテンツメニューの中から、視聴を希望するものを選択し、その結果を情報料徴収サーバ１４に送信する。（Ｓ０４）
情報料徴収サーバ１４から通信端末１１に対して、料金を支払うプリペイドカード番号と視聴を行う通信端末１１の電話番号の入力を要求する。（Ｓ０５）
通信端末１１からプリペイドカードの番号と視聴する通信端末１１の電話番号を入力し、情報料徴収サーバ１４に送信する、その際、パスワードの入力をするケースもある。パスワードを使用する場合は、プリペイドを購入する際に設定しておく。視聴する通信端末１１は、コンテンツの選択を行った通信端末１１でもよいし、携帯等の別の通信端末１１でもよい。（Ｓ０６）
情報料徴収サーバ１４はプリペイドカード番号を受信すると、決済ＤＢ１７に残高の確認を行う。（Ｓ０７）
決済ＤＢ１７は、図３に示した残高情報テーブル３１を参照し、カード番号をキーにして残高を確認する。カード番号とパスワードをあわせて使用する場合もある。（Ｓ０８）
決済ＤＢ１７から返却された残高と視聴を希望するコンテンツの単位時間（たとえば１分単位等）当たりの料金から視聴可能な時間数を計算する。
【００２７】
また、コンテンツごとに料金が決まっているもの（時間に関係ないもの）については、視聴可否を残高から判断する。さらに、視聴を開始する際の確認のために通信端末１１に情報料徴収サーバ１４が設定したアクセス番号を返却する。また、このアクセス番号は、コンテンツ選択を行った通信端末１１とコンテンツを視聴する端末を別に指定できるため、誤って視聴する通信端末１１を指定した場合に他のユーザが無料でコンテンツを視聴できないようにするためのガードとして用いる。また、コンテンツを視聴する通信端末１１の電話番号とアクセス番号の関連を保持する。（Ｓ０９）
そして、次の図５に示すように、情報料徴収サーバ１４から、視聴を行う通信端末１１の電話番号に対して、ＳＩＰ信号のＩＮＶＩＴＥを送信し、通信端末１１を呼び出す。その際のＳＤＰ情報のｃ行には情報料徴収サーバ１４のアドレスを指定する。（Ｓ１０）
情報料徴収サーバ１４からのＩＮＶＩＴＥによる呼出に対して通信端末１１が応答（オフフック）し、ＳＩＰ信号の２００ＯＫを返す。その際のＳＤＰ情報のｃ行には視聴を行う通信端末１１のアドレスを指定する。（Ｓ１１）
情報料徴収サーバ１４から通信端末１１に対して、ＲＴＰ信号によりアクセス番号の入力を要求する映像、音声などを送信する。（Ｓ１２）
通信端末１１から、ＰＢボタンでアクセス番号を入力し、情報料徴収サーバ（認証手段）１４に送信する。（Ｓ１３）
情報料徴収サーバ１４が通信端末１１から入力されたアクセス番号を受信し、Ｓ０９で保持したアクセス番号と一致するか確認することにより、通信端末１１を認証する。（Ｓ１４）
情報料徴収サーバ１４からコンテンツ配信サーバ１６にＳＩＰ信号のＩＮＶＩＴＥを送信し、配信するコンテンツを呼び出す。その際のＳＤＰ情報のｃ行には通信端末１１のアドレスを指定する。（Ｓ１５）
情報料徴収サーバ１４からのＩＮＶＩＴＥをコンテンツ配信サーバ１６が受信すると、コンテンツ配信が可能である状態の場合、２００ＯＫを返却する。その際のＳＤＰ情報のｃ行にはコンテンツ配信サーバ１６のアドレスを指定する。（Ｓ１６）
情報料徴収サーバ１４がコンテンツ配信サーバ１６からＳＩＰ信号の２００ＯＫを受信すると、通信端末１１に対して、コンテンツ配信サーバ１６と接続するための、ＳＩＰ信号のＲＥ−ＩＮＶＩＴＥを送信する。その際のＳＤＰ情報のｃ行にはコンテンツ配信サーバ１６のアドレスを指定する。（Ｓ１７）
通信端末１１が情報料徴収サーバ１４からのＲＥ−ＩＮＶＩＴＥを受信すると、コンテンツを視聴できる状態であれば、ＳＩＰ信号の２００ＯＫを返却する。その際のＳＤＰ情報のｃ行には通信端末１１のアドレスを指定する。（Ｓ１８）
そして、次の図６に示すように、情報料徴収サーバ１４が通信端末１１からの２００ＯＫを受信すると、コンテンツ配信サーバ１６に対してコンテンツ再生開始のＳＩＰ信号のＩＮＦＯを送信する。ＩＮＦＯの代わりにＭＥＳＳＡＧＥ等でもよい。（Ｓ１９）
コンテンツ配信サーバ１６が通信端末１１に対して、コンテンツをＲＴＰ信号で配信する。（Ｓ２０）
情報料徴収サーバ１４で、コンテンツ配信が始まると、単位時間当たりのコンテンツ料金をもとに課金計算を開始する。コンテンツ配信中に課金がプリペイド残高を超える一定時間前になると、情報料徴収サーバ１４からコンテンツ配信サーバ１６にＳＩＰ信号のＩＮＦＯを送信し、コンテンツ配信サーバ１６から通信端末１１にその旨を通知することを可能とする。課金が残高を超えた時点で、情報料徴収サーバ１４から視聴を中止するために通信端末１１とコンテンツ配信サーバ１６にＳＩＰ信号のＢＹＥを送信する。（Ｓ２１）
視聴が終了すると、通信端末１１から情報料徴収サーバ１４にＳＩＰ信号のＢＹＥを送信する。ＢＹＥはコンテンツ配信サーバ１６から送信されるケースもある。（Ｓ２２）
情報料徴収サーバ１４が通信端末１１からＳＩＰ信号のＢＹＥを受信すると、課金計算を停止する。（Ｓ２３）
コンテンツ配信サーバ１６に配信停止のためにＳＩＰ信号のＢＹＥを送信する。（Ｓ２４）
情報料徴収サーバ１４が課金計算額を決済ＤＢ１７から減算する。（Ｓ２５）
決済ＤＢ１７は、図３の視聴コンテンツテーブル３２に視聴したコンテンツの情報を書き込み、残高情報テーブル３１の残高を課金計算額分減額する。（Ｓ２６）
以上説明した本発明の実施の形態によれば、電話回線を使ったコンテンツ配信の視聴に対する課金を予め支払った範囲内の金額にでき、コンテンツ配信における匿名性の確保ができ、インターネットと連携可能なプリペイド型決済システムおよび方法を提供することができる。
【図面の簡単な説明】
【００２８】
【図１】本発明のプリペイド型決済システムの実施の形態を説明するための構成図を示す。
【図２】情報料のプリペイド購入とプリペイド残高の設定方法を説明するための説明図を示す。
【図３】情報料のプリペイド購入とプリペイド残高の設定方法を説明するための説明図を示す。
【図４】コンテンツ視聴とプリペイドでの決済を行う場合のシーケンスを説明するためのシーケンス図を示す。
【図５】コンテンツ視聴とプリペイドでの決済を行う場合のシーケンスを説明するためのシーケンス図を示す。
【図６】コンテンツ視聴とプリペイドでの決済を行う場合のシーケンスを説明するためのシーケンス図を示す。
【符号の説明】
【００２９】
１１…通信端末
１２…インターネット網
１３…ＷＷＷサーバ
１４…情報料徴収サーバ
１５…ＳＩＰサーバ
１６…コンテンツ配信サーバ
１７…決済ＤＢ
１８…通信網
【図１】
2009218633.tif 000003
【図２】
2009218633.tif 000004
【図３】
2009218633.tif 000005
【図４】
2009218633.tif 000006
【図５】
2009218633.tif 000007
【図６】
2009218633.tif 000008